Podtech/llm-jp-corpus-v4-ja_patent huggingface dataset:
(57)【要約】【課題】迅速に特に小さく粉砕できると共に破砕物を直ちにすくい取り処理することができるカッター装置付バケットを得ること。【解決手段】バケットに設けたフレームに、複数の切断刃を突設したドラム型カッターを装着し、その中心回転軸を油圧モータ等の原動機に接続したこと。【選択図】　　図１
2004052227.tif 000002
【特許請求の範囲】
【請求項１】
バケットに設けたフレームに、複数の切断刃を突設したドラム型カッターを装着し、その中心回転軸を油圧モータ等の原動機に接続したカッター装置付バケット。
【請求項２】
ドラム型カッターの外周部に切削材の飛散防止となり、ドラム型カッター不使用時にカッターの覆いとなるカバーを設けた請求項１記載のカッター装置付バケット。
【発明の詳細な説明】
【０００１】
【発明の属する技術分野】
本発明は道路、駐車場等の広場でアスファルト、コンクリート類で整備された場所において、わだち、穴、凹凸割れが発生した場合の補修作業に関するものである。
【０００２】
【従来の技術】
前記の補修には先ず該当部分を削り取り、しかる後補修することになる。削り取る作業を行うための装置がカッター装置である。このカッター装置は広い場所では専用の大型カッター装置を使用することができるが、狭い場所や僅かな補修工事では大型カッター装置を用いることは不経済である。
【０００３】
又カッター作業で発生したアスファルト片、コンクリート片は後始末しなければならないので、削るカッター装置と、切削片を受け入れるバケットが必要である。
【０００４】
【発明が解決しようとする課題】
本発明の課題は以上２つの作業を一つの装置で行うことを目的として提案したものである。
【０００５】
【課題を解決するための手段】
本発明の手段は次のとおりである。
【０００６】
バケットに設けたフレームに、複数の切断刃を突設したドラム型カッターを装着し、その中心回転軸を油圧モータ等の原動機に接続したカッター装置付バケット。
【０００７】
【発明の実施の形態】
図１乃至図４を参照して本発明に係るカッター装置付バケットの具体例を説明する。
【０００８】
図中符号１０１は回動腕でこれにバケット１０２を備えたフレーム１０３を取付け、バケット１０２の下部において、前記フレーム１０３に複数の切断刃１０４を所要間隔置に設置したドラム型カッター１０５を装着してある。ドラム型カッター１０５の中心回転軸１０６を油圧モーター１０７に接続してある。又１０９はドラム型カッター１０５の外周部に設けた切削機の飛散防止となるカバーで複数の円弧状の金属薄板を連続して設けられ、ドラム型カッター１０５の不使用時には図１のようにカバー１０９によりドラム型カッター１０５の全周を被覆してカッターを保護する。ドラム型カッターの使用時は図３、図４に示したようにカバー１０９により切削機を受け止め飛散を防ぐ。
【０００９】
以上のように本発明はバケットにカッター装置が付設されているので１台の装置で、削る作業と削ったものをかたづける作業が行われる。又マンホールの縁付近は大型のカッター装置では、削り残しが発生するが、その部分の削り取り及び後始末がその場で行われる。更に寒冷地の表土が凍結している場所でのバケット作業時、凍結した表土の部分でバケット作業を行う場合は、先ず凍結した部分の表土を除去してからでないと、バケット作業は困難である。
【００１０】
その場合、本発明の構造ではカッター装置で凍結した表土を除去し、即時バケットによる作業に移ることができ、他の装置は必要としない。尚図中１１０はスプロケット、１１２はチェーン、１１３はスプロケットである。
【００１１】
【発明の効果】
本発明によれば、発生するコンクリート塊は高速回転するドラム型カッターによって図示のように頗る急速に小型に破砕する作用を連続して行ない、堆積した破砕物は直ちにバケットに積込み処理することができ、破砕物の処理を円滑に行なうことができる。又カバーは図示のように１個独立のものと、２分割のものとがあるので、図示のように使用態様は種々あり実用上の価値がある。
【図面の簡単な説明】
【図１】縦断側面図。
【図２】正面図。
【図３】ドラム型カッター使用時の縦断側面図。
【図４】図３と態様の異なるドラム型カッター使用時の縦断側面図。
【符号の説明】
１００　　機体
１０１　　回動腕
１０２　　バケット
１０３　　フレーム
１０４　　切断刃
１０５　　ドラム型カッター
１０６　　回転軸
１０７　　油圧モーター
１０９　　カバー
【図１】
2004052227.tif 000003
【図２】
2004052227.tif 000004
【図３】
2004052227.tif 000005
【図４】
2004052227.tif 000006
(57)【要約】【課題】スリット状の噴出口全体から均一に流体を噴出することができる流体ノズルを提供すること。【解決手段】横長形状のノズル本体１の上面一側縁部に流体供給管２を設け、下端部にスリット状の噴出口３を設けた流体ノズルにおいて、前記流体供給管２の下方部に中央に向け傾斜した整流板４ａを設けるとともに、他端側コーナ部にも前記整流板４ａと同様に傾斜した整流板４ｂを設けた。【選択図】　　　図１
2004052025.tif 000002
【特許請求の範囲】
【請求項１】
横長形状のノズル本体の上面一側縁部に流体供給管を設け、下端部にスリット状の噴出口を設けた流体ノズルにおいて、前記流体供給管の下方部に中央に向け傾斜した整流板を設けるとともに、他端側コーナ部にも前記整流板と同様に傾斜した整流板を設けることを特徴とする流体ノズル。
【発明の詳細な説明】
【０００１】
【発明の属する技術分野】
本発明は、スリット状の噴出口全体から均一に流体を噴出することができる流体ノズルに関するものである。
【０００２】
【従来の技術】
例えば、製鉄工場のメッキプロセスにおいては、クロメート処理液の均一かつ薄膜状の塗布を目的としてエアワイピング処理することが行われている。この場合、横長形状のノズル本体の上面部に流体供給管が設けられ、下端部にスリット状の噴出口が設けられた、いわゆるスリットノズルと称される流体ノズルを用いるのが普通である。
【０００３】
前記流体ノズルとしては、例えば、図３に示されるように、横長形状のノズル本体１０の上面一側縁部に流体供給管１１を設け、下端部にスリット状の噴出口１２を設けたものが知られている。しかしながら、本発明者の研究によれば、このような流体ノズルにおいては、流体の噴出状態が噴出口の両サイドで強く中央部分で弱くなっており、噴出口１２の全体から均一に流体を噴出することができないことを確認した（図中の破線参照）。この結果、エアワイピング処理後の鋼板上に汚れ等を残存させ不良品を発生するという問題点があった。
【０００４】
そこで、図４に示されるように、スリット状の噴出口１２を、流体供給管１１のある側縁部に向け徐々に狭くなるように形成し、流体供給管１１の下方部における流体の噴出量を抑えることを試みた。しかしながら、この場合は流体供給管１１の下方部については予測とおり流体の噴出量を抑えられるものの、他端側では流体の噴出が強くなり、噴出口１２の全体で均一に流体を噴出することはできないものであった（図中の破線参照）。
【０００５】
【発明が解決しようとする課題】
本発明は上記のような従来の問題点を解決して、スリット状の噴出口全体から均一に流体を噴出することができ、この結果、エアワイピング処理を均一に行うことができて処理後の鋼板上に汚れ等が残存するのを確実に防止することができる流体ノズルを提供することを目的として完成されたものである。
【０００６】
【課題を解決するための手段】
上記の課題を解決するためになされた本発明の流体ノズルは、横長形状のノズル本体の上面一側縁部に流体供給管を設け、下端部にスリット状の噴出口を設けた流体ノズルにおいて、前記流体供給管の下方部に中央に向け傾斜した整流板を設けるとともに、他端側コーナ部にも前記整流板と同様に傾斜した整流板を設けることを特徴とするものである。
【０００７】
【発明の実施の形態】
以下に、図面を参照しつつ本発明の好ましい実施の形態を示す。
図１〜図２は、本発明をクロメート処理におけるエアワイピング用の流体ノズルに適用した場合を示すものであって、図中１は横長形状のノズル本体、２は該ノズル本体１の上面一側縁部に設けられた流体供給管、３は該ノズル本体１の下端部に設けられたスリット状の噴出口であり、以上の構成は従来のこの種の流体ノズルと基本的に同じである。なお、スリット状の噴出口３は、図１（ｂ）に示されるように、約０．３ｍｍ程度の一定幅の形状となっている。
【０００８】
そして本発明では、前記流体供給管２の下方部に中央に向け傾斜した整流板４ａが設けられているとともに、他端側コーナ部にも前記整流板４ａと同様に傾斜した整流板４ｂが設けられている点を特徴的構成とするものである。
このような整流板４ａ、４ｂを設けることによりスリット状の噴出口３全体から均一に流体を噴出できるようにするのである。即ち、流体供給管２の下方部に中央に向け傾斜して設けた整流板４ａで流体を中央側へ斜めに曲げながら噴出口３へ案内することにより、流体供給管２より真下に向け噴出する流体の圧力を緩和するのである。また、他端側コーナ部に設けた前記整流板４ａと同様に傾斜した整流板４ｂで流体を下方側へ曲げながら噴出口３へ案内することにより、ノズル本体１の左上コーナ部における行き止まりによる流体圧力の上昇を防止するのである。
このように、整流板４ａ、４ｂを設けることにより両サイド部における流体圧力の上昇を的確に防止し、スリット状の噴出口３全体から均一に流体を噴出できるようにするのである。
【０００９】
なお、図２に示されるように、スリットノズルは一般的には左右対称な一対の分割部材１ａ、１ａを組み合わせて作られているのが普通であり、前記整流板４ａ、４ｂはこの分割部材１ａ、１ａに挟み込まれて固定された状態となっている。その他、整流板として中実体のものであってもよく、要はノズル本体１内に流体を斜めに曲げながら噴出口３へ案内する傾斜面を設ければよい。
【００１０】
このように本発明では、流体供給管２の下方部に中央に向け傾斜した整流板４ａを設けるとともに、他端側コーナ部にも前記整流板４ａと同様に傾斜した整流板４ｂを設けたものとしたので、流体供給管２より供給された両サイドにおける流体は、一方は整流板４ａで流体を中央側へ斜めに曲げながら噴出口３へ案内され、他方は整流板４ｂで流体を下方側へ曲げながら噴出口３へ案内されることとなる。この結果、両サイド部における流体圧力の上昇が的確に防止されて、スリット状の噴出口３全体から均一に流体が噴出されることとなり（図１（ａ）中の破線参照）、均一なエアワイピング処理等が行えることとなる。
【００１１】
【発明の効果】
以上の説明からも明らかなように、本発明はスリット状の噴出口全体から均一に流体を噴出することができ、この結果、エアワイピング処理を均一に行うことができて処理後の鋼板上に汚れ等が残存するのを確実に防止することができるものである。
よって本発明は従来の問題点を一掃した流体ノズルとして、産業の発展に寄与するところは極めて大である。
【図面の簡単な説明】
【図１】（ａ）は本発明の実施の形態を示す断面図、（ｂ）は噴出口の形状を示す図である。
【図２】本発明の実施の形態を示す断面図である。
【図３】（ａ）は従来例を示す断面図、（ｂ）は噴出口の形状を示す図である。
【図４】（ａ）はその他の従来例を示す断面図、（ｂ）は噴出口の形状を示す図である。
【符号の説明】
１　ノズル本体
２　流体供給管
３　スリット状の噴出口
４ａ　整流板
４ｂ　整流板
【図１】
2004052025.tif 000003
【図２】
2004052025.tif 000004
【図３】
2004052025.tif 000005
【図４】
2004052025.tif 000006
(57)【要約】【課題】本発明は、大掛かりな装置を必要とせず、所望の個所及び形状に脱色し、脱色した個所の周囲がぼかし調になり、更に脱色した個所に模様を施す事により、従来にない外観や模様を有する事が出来る。【解決手段】本発明の手段は、着色された布地において、脱色したい個所の輪郭の外周に、水と浸透剤混合液を噴射し、この輪郭の内側に次亜塩素酸ナトリウムに、液性アルカリと界面活性剤の直鎖アルキルベンゼンスルホン酸ナトリウムを混ぜ、その液を噴射し、直ちに水洗する。【選択図】　　　　図２
2004052200.tif 000002
【特許請求の範囲】
【請求項１】
着色された布地において、脱色したい個所の輪郭の外周に、水に浸透剤を混合した水液を噴射し、この輪郭の内側に次亜塩素酸ナトリウムに界面活性剤の直鎖アルキルベンゼンスルホン酸ナトリウムと液体アルカリを混合した液を噴射し直ちに水洗する事を特徴とする、ぼかし脱色方法。
【請求項２】
請求項１の記載の脱色方法で得た脱色個所に牛乳を原料としたカゼインと、アクリル樹脂を原料としたバインダーを混ぜた顔料で模様を付与する事を特徴とする方法。
【発明の詳細な説明】
【０００１】
【発明の属する技術分野】
本発明は、ジーンズ等の布地の周囲にぼかし調の脱色個所をつくり、これに模様を付与する方法に関する。
【０００２】
【従来の技術】
単色のジーンズ等の布地にアクセントを与え、模様を施す方法としては、布地に直に白ペイント等を用いて模様を描いたり、刺繍を施したりしているが、模様の周囲にぼかし調（例えばブルージーンズの場合、紺色から徐々に薄くなり白色となる。）が無く、色模様が単調である印象を与えるものであった。
【０００３】
【発明が解決しようとする課題】
ジーンズ等の脱色については、次亜塩素酸ソーダを使って、新しい布地を古く見せる為のポイスカ方法はあるが、この方法では素材の痛みがひどく、製品を弱くしてしまう問題があった。
【０００４】
一方、ジーンズ等の布地を脱色する方法としては、特開平１０−１０２３８６号公報や特開平１１−３６１７３号公報に提案されている様な方法はあるが、いずれも大掛かりな装置が必要とするものである。又、上記ぼかし調の脱色を与える方法は知られていない。
【０００５】
本発明は、上記課題を解決しようとなされたもので有り、大掛かりな装置を必要とせず、所望の個所、及び形状に脱色し、しかも脱色した個所の周囲がぼかし調になり、更に脱色した個所に模様を施す事により、従来に無い外観や、模様を有する製品を提供するものである。
【０００６】
【課題を解決するための手段】
請求項１に記載の脱色方法は、着色された布地において脱色したい個所の輪郭の外周に水と浸透剤混合を噴射し、この輪郭の内側に、次亜塩素酸ナトリウムに液性アルカリと界面活性剤の直鎖アルキルベンゼンスルホン酸ナトリウムを混ぜ、その液を噴射し直ちに水洗する事を特徴とする。
【０００７】
請求項２に記載の模様を付与する方法は、脱色個所に牛乳を原料としたカゼインとアクリル樹脂系のバインダーを顔料に混ぜ、模様を付与する事を特徴とする。
【０００８】
【発明の実施の形態】
以下図面を用いて、本発明の実施の形態の１例を示す。
図１においては、１は、ジーンズ製のズボンである。このズボンのひざの部分に、だ円状の個所７を決め、その輪郭４の周辺外側３ｃｍ程度に２の噴射機によって３の水を浸透剤混合の液を噴射した。図２において、だ円状の７を脱色する工程で、噴射機５によって次亜塩素酸ナトリウムに液性アルカリと界面活性剤の直鎖アルキルベンゼンスルホン酸ナトリウムの混合液６を、７の個所に噴射させた。図３において、脱色され、水洗を終え乾燥済みのズボン１の７の部分に（手描、プリント、型、捺染等の染方法で）牛乳を原料とするカゼイン、アクリル樹脂系のバインダーを顔料に混ぜ、模様を付与した。図４において、描かれた模様にアイロンで高熱圧縮する工程を示す。
【０００９】
【発明の効果】
本発明は、上述のような様式であるので、ブルージーンズの場合、紺の地色から徐々に色の濃淡の傾斜があって、白くなるぼかし調の脱色が出来る。又、どんな個所でも、どんな形状でも脱色し、模様を付与する事ができ、素材も傷めず、大掛かりな設備もいらず、コストが安くつく効果を生じる。
【図面の簡単な説明】
【図１】本発明の実施の工程を示す説明図である。
【図２】本発明の実施の工程を示す説明図である。
【図３】本発明の実施の工程を示す説明図である。
【図４】本発明の実施の工程を示す説明図である。
【符号の説明】
１　ジーンズ製のズボン
２　噴射機
３　水と浸透剤混合液
４　脱色個所の外側
５　脱色時の噴射機
６　次亜塩素酸ナトリウム混合液と界面活性剤の直鎖アルキルベン
ゼンスルホン酸ナトリウム及び液性アルカリの混合液
７　脱色個所
８　模様
９　アイロン
【図１】
2004052200.tif 000003
【図２】
2004052200.tif 000004
【図３】
2004052200.tif 000005
【図４】
2004052200.tif 000006
(57)【要約】【課題】海外旅行の時、ほとんどの人は貴重品を腹巻に入れて行くが、日本人の腹巻はあまりにも有名で、しばし腹巻目当ての窃盗が起こっている。【解決の手段】海外旅行をより安心して行ける様、絶対見つかることのないブリーフ・トランクス・パンツやブラジャーなどの裏側に付けたこの発明の、隠しポケットに入れて持っている現金は、すべての持ち物が災難に遭っても最低限の連絡がとれるお守りのお金になり海外旅行がより安心になる。【選択図】　　　図１
2004052198.tif 000002
【特許請求の範囲】
【請求項１】
男性の下着ブリーフに隠しポケットを設置したポケット付きブリーフ
【請求項２】
女性の下着ブラジャーに隠しポケットを設置したポケット付きブラジャー
【発明の詳細な説明】
【０００１】
【発明に属する技術分野】
海外旅行でよくある荷物の盗難、財布の紛失に備え何箇所にもお金を分けて持っているが、今や日本の腹巻はあまりにも有名で、腹巻窃盗が相次いでいる。何が何でも最低の連絡費用は確保しておきたいと考えた。
【０００２】
【従来の技術】
海外旅行の時、ほとんどの人は貴重品は腹巻に入れて行くが、日本人の腹巻はあまりにも有名で、しばしば腹巻目当ての窃盗が起こっている。
【０００３】
【発明が解決しようとする課題】
万が一窃盗にあって、腹巻の金品を取られてもせめて連絡できる最低のお金は確保したいと考えた。
【０００４】
【課題を解決しようとする手段】
この発明は身につける最低限の下着、男性はブリーフ、女性はブラジャーに最低限、当座のいる費用を何としても確保したいと考え、男性はブリーフ、女性はブラジャーにお金いれポケットを設置した。
【０００５】
【発明の実地の形態】
男性の場合は図１の１の位置を二重にし、ポケットとをつくり、女性の場合は図２のブラジャーの１のところにポケットをつくったものなり。
【０００６】
【実地例】
貴重品を何箇所にも分けて持って行く海外旅行をより安心して過ごせるよう用心に用心のためお守りとしてお金を分けて入れるポケットなり。
【０００７】
【発明の効果】
海外旅行をより安心して行ける様、絶対見つかることのない、ブリーフやブラジャーのポケットの現金は、すべての持ち物が災難に遭っても、最低限の連絡がつくお守りのお金となる。
【図面の簡単な説明】
【図１】男性の場合のポケット付きブリーフ
【図２】女性の場合のポケット付きブラジャー
【符号の説明】
１　　　　　　ポケット
【図１】
2004052198.tif 000003
【図２】
2004052198.tif 000004
【手続補正書】
【提出日】平成14年7月31日(2002.7.31)
【手続補正２】
【補正対象書類名】明細書
【補正対象項目名】特許請求の範囲
【補正方法】変更
【補正の内容】
【特許請求の範囲】
【請求項１】
男性の下ばき、ブリーフやトランクスなどパンツの内側に隠しポケットを設置した隠しポケット付き下着。
【請求項２】
女性の下着、ブラジャーの内側に隠しポケットを設置した隠しポケット付きブラジャー。
【手続補正３】
【補正対象書類名】明細書
【補正対象項目名】０００４
【補正方法】変更
【補正の内容】
【０００４】
【課題を解決しようとする手段】
この発明は海外にて強盗に合った時、身ぐるみ取られても最低限身につけている下着（男性はブリーフ・トランクスなどの下ばきのパンツ。女性はブラジャー）などの裏側に隠しポケットを設置し、当座の最低限いる費用だけは何としても確保しておきたいと考え、男性はブリーフ・トランクス・パンツなど下ばきの内側に、女性はブラジャーの内側に隠しポケットを設置した。


【手続補正４】
【補正対象書類名】明細書
【補正対象項目名】０００５
【補正方法】変更
【補正の内容】
【０００５】
【発明の実地の形態】
男性の場合、図１の１の位置を二重にし、裏側よりポケットを作り外からはポケットがあることがわからないようにつくり、女性の場合は図３のブラジャーの１のところに外側からはわからない様に内側に隠しポケットを作ったものなり。


【手続補正５】
【補正対象書類名】明細書
【補正対象項目名】図面の簡単な説明
【補正方法】変更
【補正の内容】
【図面の簡単な説明】
【図１】男性の場合のポケット付きブリーフの図
【図２】男女共、ポケット付き、トランクス・パンツの図
【図３】ポケット付きブラジャーの図


【手続補正６】
【補正対象書類名】図面
【補正対象項目名】全図
【補正方法】変更
【補正の内容】
【図１】
2004052198.tif 000005
【図２】
2004052198.tif 000006
【図３】
2004052198.tif 000007
(57)【要約】【課　題】この発明は、洋服の袖にポケットを付けてカードを収納し、駅の改札を通過時の負担を楽にするものである。【解決手段】洋服の袖１に、２ポケットを組込み、カードを収納し、４を留め紛失をふせぎ、そのままの状態で改札機にタッチして改札機を通過する。【選択図】　図１ID=000004 HE=087 WI=154 LX=0000 LY=0000>
2004052197.tif 000002
【特許請求の範囲】
【請求項１】
洋服の袖の内側にポケットを付け、カードを挿入出来る様にする。
【発明の詳細な説明】
この発明は、洋服の袖部分にカード等を入れる内ポケットを付けるものである。現在ＪＲ東日本等で新しいタイプの自動改札機で使用されるｓｕｉｃａカードは大変便利ではあるが、改札機を通る時にタッチをする必要が有り、その都度、定期入れや財布等を胸ポケットや鞄から取り出さなければならない、その為、傘を持っていたり両手に荷物を持っている場合は非常に手間がかかっていた。
本発明は、その手間を省くため簡単な方法で解決したものである。
以下それを説明すると、
（イ）洋服の袖部分にｓｕｉｃａカードが簡単に出し入れ出来るポケットを作る。
（ロ）その入口から簡単に落ちない様、ファスナー、マジックテープ、ホック等で留められる様にする。
この様にすれば、改札機にタッチする時、わざわざカードを持ち換える必要がなくなる。
本発明はこの様に簡単な方法で問題を解決したものである。
【図面の簡単な説明】
【図１】本説明の全体図　一部透視図、展開図
【図２】本発明の断面図
【符号の説明】
１は洋服の袖　２はポケット部分の透視図　３はカード出入口
４は留具　５は、裏地　６は外布
【図１】
2004052197.tif 000003
【図２】
2004052197.tif 000004
(57)【要約】【課題】この発明は、園芸、農漁業、工事現場等で作業する人が使用するズボンを提供する。【解決手段】ズボン（１）の前身頃（２）に防水性の布地を、後身頃（３）に通気性の布地を使用し、前身頃の膝の当る部分の内側にクッション用の膝当（４）をつけたことを特徴とする。【選択図】　図１
2004052196.tif 000002
【特許請求の範囲】
【請求項１】
ズボン（１）の前身頃（２）に防水性の布地を、後身頃（３）に通気性の布地を使用し、前身頃の膝の当る部分の内側にクッション用の膝当（４）をつけたズボン。
【発明の詳細な説明】
【０００１】
【発明の属する技術分野】
この発明は、園芸、農漁業、工事現場等で作業する人が使用するズボンに関するものである。
【０００２】
【従来の技術】
従来、作業をするときに着用するズボンは、晴天時には通気性の布地で出来たものを使用している。
雨天時または薬剤散布で濡れる場合は、防水性の布地で出来たものを使用している。
通気性ズボンは、晴天時にはよいが、雨天の場合は雨を通して下着迄濡らしてしまう。
また、防水性のズボンは雨天の時には良いが、暑熱時にはズボンの内部が蒸れて汗をかき不快な思いをする。
【０００３】
【発明が解決しようとする課題】
これは次のような欠点があった。
通気性の布地のズボンの場合は、使用中のズボン内が濡れてしまう。
防水性の布地のズボンの場合は、使用中のズボン内が蒸れてしまう。
本発明は、以上のような欠点をなくすためになされたものである。
【０００４】
【課題を解決するための手段】
以上のような欠点をなくすために、ズボン（１）の前身頃（２）に防水性の布地を、後身頃（３）に通気性の布地を使用し、膝を地面に着けた時、膝が痛くならないように前身頃の膝の当る部分の内側にクッション用の膝当（４）をつけた。
本発明は、以上のような構成よりなるズボンである。
【０００５】
【発明の実施の形態】
ズボン（１）の前身頃（２）に防水性の布地を、後身頃（３）に通気性の布地を使用し、前身頃（２）の膝の当る部分の内側にクッション用の膝当（４）をつけたズボンである。
ズボンを着用するとき、ベルトの代わりにゴム紐（５）でも着用できる。
以上のようにズボンを作業に使用する時、ズボン（１）の前身頃（２）に防水性の布地を後身頃（３）に通気性のある布地を使用することによって、ズボンの前半分は水が浸透することがない。
後身頃（３）が通気性の布地なのでズボン内は蒸れない。
また前身頃（２）の膝の当る部分に膝当（４）がついているので、硬い地面に膝をついても膝は痛くない。
【０００６】
【発明の効果】
したがって、本発明のズボンは、後身頃に通気性のある布地を使用しているので、暑熱時にも蒸れない。
ズボンの前身頃に防水性の布地を使用しているので、濡れた地面に膝をついても下着が汚れない。
膝の当る部分の内側にクッション用の膝当をつけたので、膝を地面に付けて作業をしても、膝は痛くならない。
【図面の簡単な説明】
【図１】本発明の斜視図である。
【図２】本発明の側面図である。
【符号の説明】
１　ズボン
２　前身頃
３　後身頃
４　膝当
５　ゴム紐
【図１】
2004052196.tif 000003
【図２】
2004052196.tif 000004
(57)【要約】【課題】座席と背中の間に置く事により、保護具本体の開口部にお太鼓結び帯が入り、型崩れを防ぐように作った、お太鼓結び帯保護具である。【解決手段】任意のお太鼓結び帯の、お太鼓外周を背面座席部に押しつぶされないように囲む形状よりなる保護具本体と、保護具を座席に固定する固定具とよりなるお太鼓結び帯保護具。保護具本体は、浮き袋状となっており、弁を有する空気入排出口により、膨張、圧縮可能となっていることを特徴とする請求項１記載のお太鼓結び帯保護具。使用しない時は空気を抜き、たためるので携帯にも便利である。【選択図】　図１
2004052199.tif 000002
【特許請求の範囲】
【請求項１】
任意のお太鼓結び帯の、お太鼓外周を背面座席部に押しつぶさないように囲む形状よりなる保護具本体と、保護具を座席に固定する固定具とよりなるお太鼓結び帯保護具。
【請求項２】
保護具本体は、浮き袋状となっており、弁を有する空気入排出口により、膨張、圧縮可能となっていることを特徴とする請求項１記載のお太鼓結び帯保護具。
【発明の詳細な説明】
【０００１】
【発明の属する技術分野】
この発明は和服を着て自動車にのった時、お太鼓結び帯の型崩れを防ぐ。使用する時は空気出し入れ口より空気を入れ、座席と背中の間に置く。中央の四角い開口部にお太鼓結び帯が入る。本体の枠が背中をささえるため、お太鼓結び帯が崩れない、お太鼓結び帯保護具である。
【０００２】
【従来の技術】
従来は、和服を着て自動車に乗った時、お太鼓結び帯の型崩れを防ぐ保護具はなかった。
【０００３】
【発明が解決しようとする課題】
（イ）和服を着て自動車に乗ると、後ろに寄りかかって座るので、お太鼓結びの帯がつぶれてしまった。
（ロ）和服を着て運転する時は、強く後ろに寄りかかるので、結んだ帯の硬い所が背中の一部に当たり痛いときもあった。
【０００４】
【課題を解決するための手段】
任意のお太鼓結び帯の、お太鼓外周を背面座席部に押しつぶされないように囲む形状よりなる保護具本体と、保護具を座席に固定する固定具とよりなるお太鼓結び帯保護具。
【０００５】
【本発明の実施の形態】
以下本発明の実施例について説明をする
図１に示すように、保護具本体は開口部を有するものであり、左右にひもが設けられている。保護具本体は図２に示すようにビニール等のカバー部材により、浮き輪のように膨らませて使用するものである。
空気の入排出をおこなうために弁付きの空気出し入れ口が設けられている保護具本体の開口部は、お太鼓結びの帯が入る大きさの形状であり、かつ、お太鼓結び帯の奥行きよりも厚くなるような幅よりなっている。
この際、お太鼓結び帯が当たる位置に保護具開口部が来るように取り付ける。この開口部にお太鼓結び帯が入るようにして座席シートに座ることにより、保護具でお太鼓結び帯がシートに押し付けられるのを防ぐ役割をなす。
これによりお太鼓結び帯が型崩れをしない。また、保護具が背中と腰を支えるので、安定した姿勢で車に乗ることができる。
使用しない時は、図４に示すように空気を抜いたうえで、折りたたみ小さくして持ち運ぶ。
以下、その他の実態の形態を説明する。
図５に示すように、カバー内部にクッション材を入れたものである。全体の形状は前記実施の形態と同様である。クッション材としては、発砲ウレタン等の軽く形状の崩れないものが望ましい。これを同様に使用する。なお、クッション材として、衣服を汚さない素材を使用するときは、カバーがなくても構わない。
本説明は以上のような構造で、使用しない時は空気を抜き、小さくたためるので携帯にも便利である。
【０００６】
【発明の効果】
帯の型崩れを気にしないで安心して自動車にのれるようになった。
運転をする時は、保護具本体を固定具により座席に固定するので、ずれる事も無く、強くよりかかっても背中も痛くないので、安心して運転が出来るようになった。
【図面の簡単な説明】
【図１】本発明の正面図である
【図２】本発明の断面図である
【図３】本発明の使用側面図である
【図４】押したたんだところ
【図５】その他の素材を示す図
【符号の説明】
１．保護具本体
２．開口部
３．ひも
４．空気出し入れ口
５．お太鼓結び帯
６．カバー
７．クッション材
８．座席シート
【図１】
2004052199.tif 000003
【図２】
2004052199.tif 000004
【図３】
2004052199.tif 000005
【図４】
2004052199.tif 000006
【図５】
2004052199.tif 000007
(57)【要約】【課題】競技中のシャツの裾のずれ上がりを防止する。【解決手段】裾１に沿って袋状の紐の通し部２を設け、そこにゴム紐３を通す。通し部２には、シャツ１０の左側方において、ゴム紐３を出し入れする二つの開口２ａ、２ｂを接近して設け、一方の開口２ａからゴム紐３が通されて、通し部２内を一周して、もう一方の開口２ｂからシャツ１０の外部に露出させる。両開口２ａ、２ｂから露出している部分同士を結んで閉ループを形成し、その結びの位置を変えて、閉ループ長を調整して、シャツ１０の裾１の周長を絞り込む。このようなポロシャツ１０を使用する際は、先ず、少なくとも、シャツ１０を被ることができる程度にゴム紐３の閉ループ長を大きくしておき、その状態でシャツ１０を被った後、その閉ループ長を小さくして裾１の周長を絞り込んで、ゴム紐３でシャツ１０を体に締めつける。【選択図】　図１
2004052119.tif 000002
【特許請求の範囲】
【請求項１】
ゴルフやテニス用等、競技中、裾をズボンの中に入れて着用するスポーツ用ポロシャツにおいて、
前記裾に、裾の略全周を取り巻く形で、紐が裾方向に移動可能に取り付けられており、その紐で形成した閉ループのループ長を調整することにより、裾の周長が調整可能となっていることを特徴とするスポーツ用ポロシャツ。
【発明の詳細な説明】
【０００１】
【発明の属する技術分野】
この発明は、スポーツ用のポロシャツに係り、特に、ゴルフやテニス用等、競技中は裾をズボンの中に入れて着用するものに関する。
【０００２】
【従来の技術】
ゴルフ用ポロシャツは、他の競技用のものに比べてファッション性が高く、競技外ではおしゃれ着として着用する場合もあり、その場合は、裾をズボンから出して着用したりもする。
【０００３】
しかしながら、通常、競技中は、裾をズボンの中に入れて着用する。
【０００４】
【発明が解決しようとする課題】
ところで、ゴルフのスイングの際、バックスイングからトップを経てダウンスイングし、フィニッシュにいたる一連の動作の間、ゴルファは体を大きく旋回させ、特に、ダウンスイングからフィニッシュにいたる間は、上半身を大きく上方へ引き上げるので、それに連れて、シャツも上方へ引き上げられ、裾がズボンからはみ出てくるようになる。また、ゴルフでは、スイング時だけでなく、ボールを芝の上にセットしたり、拾い上げたりする時も、繰り返し、体を屈曲させ、また、伸長するので、その時も、裾がズボンからはみ出たり、はみ出なくとも、シャツのベルトの直上の部分が弛むようになる。
【０００５】
そうなると、見栄えが悪いばかりか、裾がはみ出てくる際の違和感によって、スイングにも影響する。同じようなことはテニス競技での、テニスウエア（テニス用ポロシャツ）の場合にもいえる。
【０００６】
以上のようなスポーツ用ポロシャツの競技時の裾のずれ上がりの現象は、ズボンのベルトによる締めつけでは抗しきれないものである。
【０００７】
そこで、この発明は、例えば、上記したゴルフやテニス用のもの等、競技の際に、裾をズボンの中に入れて着用するスポーツ用ポロシャツの裾のずれ上がりを防止することにある。
【０００８】
【課題を解決するための手段】
上記課題を解決するために、この発明のスポーツ用ポロシャツは、その裾に、裾の略全周を取り巻く形で紐を裾方向に移動可能に取り付けて、その紐で閉ループを形成して、その閉ループ長を調整することにより、裾の周長が調整可能となっている構成のものとしたのである。
【０００９】
このようなポロシャツでは、先ず、前記紐の閉ループの大きさを調整して、シャツを被ることができる程度に裾の周長を調整しておき、その状態でシャツを被った後、再び、前記閉ループの大きさを調整して、紐でシャツ（の裾）を体に締めつけるようにする。この締めつけ位置は裾、すなわち、ズボンのベルトより下の位置になり、そこに裾が固定されるので、スイングの際、上半身を激しく旋回させ、かつ、上方へ引き上げたり、また、ボールをセットしたり拾い上げたりする際に、繰り返し体を屈曲させたりしても、裾は容易にずり上がらず、ズボンからはみ出にくくなる。
【００１０】
【発明の実施の形態】
以下、図を参照してこの発明の実施の形態を説明する。図１は、実施形態のゴルフウエア（ポロシャツ）１０を示したものであり、（ａ）は正面図である。このゴルフ用ポロシャツ１０は、（ａ）に示すように、シャツ１０の裾１に沿って袋状の紐の通し部２が設けられており、そこにゴム紐３が通されたものである。（ｂ）は、その通し部２を断面で示したものであり、シャツ１０の元の下縁を全周に渡って内側に折り返して、その端縁をシャツ１０に縫着して袋状にしたものである。
【００１１】
通し部２には、（ａ）に示すように、シャツ１０の左側方において、ゴム紐３を出し入れする二つの開口２ａ、２ｂが接近して設けられており、一方の開口２ａからゴム紐３が通されて、通し部２内を一周して、もう一方の開口２ｂからシャツ１０の外部に露出してきている。その露出した部分の端部３ａは、紐３が通し部２内に取り込まれないよう、せき止めのため、団子状に結んである。
【００１２】
（ｃ）は、その紐３の作用状態を示したものであり、両開口２ａ、２ｂから露出している部分同士を結んで形成した閉ループのその結びの位置を変えて、閉ループ長を調整して、シャツ１０の裾１の周長を絞り込んだ様子を示している。
【００１３】
このようなポロシャツ１０を使用する際には、先ず、少なくとも、シャツ１０を被ることができる程度に前記ゴム紐３の閉ループ長を大きくしておき、その状態でシャツ１０を被った後、（ｃ）に示したように、その閉ループ長を小さくして裾１の周長を絞り込んで、ゴム紐３でシャツ１０を体に締めつける。この締めつけ位置は、図２（ａ）に示すように、ズボンＴのベルトＢより下の位置であって、そこに裾１が固定されるので、スイングの際、上半身を激しく旋回させたり、ボールをセットしたり拾い上げたりする際に、繰り返し屈曲しても、裾１は容易にずり上がらず、ズボンＴからはみ出にくくなる。
【００１４】
なお、図２（ｂ）には、前記通し部２の両開口２ａ、２ｂから露出しているゴム紐３の閉ループ長を調整して、適度の大きさで固定するための公知の係止具２０の一例を示している。
【００１５】
また、この実施形態では、ゴルフ用のポロシャツ１０を採り上げたが、ゴルフ用に限らず、他にテニス用等、一般に、裾１をズボンＴの中に入れて競技をし、競技中、体を大きく屈曲し、また、伸長を繰り返すことによって、裾１がズボンＴの中からはみ出てくる不具合を有する分野のものに適用できる。
【００１６】
【発明の効果】
以上説明したように、この発明は、上記のように構成したので、裾が容易にずれ上がらず、裾がズボンの外に出たり、シャツのベルトの直上の部分が弛んだりすることを防止できる、という効果がある。
【図面の簡単な説明】
【図１】（ａ）に、実施形態のゴルフ用ポロシャツの作用前の状態を正面図で示し、（ｂ）に、紐の通し部を断面図で示し、（ｃ）に、作用状態を示したものである。
【図２】（ａ）に、実施形態のゴルフ用ポロシャツの使用状態を示し、（ｂ）に紐の公知の係止具の一例を示したものである。
【符号の説明】
１　裾
２　通し部
２ａ、２ｂ　開口
３　ゴム紐
３ａ　ゴム紐の端部
１０　シャツ
２０　係止具
Ｔ　ズボン
Ｂ　ベルト
【図１】
2004052119.tif 000003
【図２】
2004052119.tif 000004
(57)【要約】【課題】人体腹部を着用者の好みに応じて引き締め具合を、自由に調節できる補整ベルトを提供すること。【解決手段】薄手の生地で成形し、端部に互いに接合するファスナー部を形成したベルト本体のほぼ中央部から左右両端部に向かって２枚の腹部引締片をそれぞれファスナー片により斜め下向きに接離可能に添設した腹部補正ベルト。【選択図】　　図１
2004052168.tif 000002
【特許請求の範囲】
【請求項１】
薄手の生地で成形し、端部に互いに接合するファスナー部を形成したベルト本体のほぼ中央部から左右両端部に向かって２枚の腹部引締片をそれぞれファスナー片により斜め下向きに接離可能に添設した腹部補正ベルト。
【発明の詳細な説明】
【０００１】
【発明の属する技術分野】
本発明は人体腹部を使用者の好みに適応できる強さで引き締める腹部補整のためのベルトに関するものである。
【０００２】
【従来の技術】
従来用いられている腹巻は腹部を巻きつける作用だけを行なうものである。
【０００３】
【発明が解決しようとする課題】
本発明の課題は、従来の腹巻とは全く異なり、腹部を着用者の好みに応ずる強さで引き締めることを可能にした補整ベルトを提供することにある。
【０００４】
【課題を解決するための手段】
本発明の手段は次のとおりである。
【０００５】
薄手の生地で成形し、端部に互いに接合するファスナー部を形成したベルト本体のほぼ中央部から左右両端部に向かって２枚の腹部引締片をそれぞれファスナー片により斜め下向きに接離可能に添設した腹部補正ベルト。
【０００６】
【発明の実施の形態】
図のＡはベルト本体で背部分当片１とその左右に接続した上下に分かれる身頃条片２，３及び４，５とから成り立ち、背部分当片１は背の外側に当てる薄地の生地で成形する。背部分当片１の左右両端に接続し継ぎ足す身頃条片２，３，４，５は各々切込６，７によって身頃条片２，３と４，５は上下に分けられ、一方の条片２，４は他方３，５より稍々長く成形してあり下側の身頃条片４，５を先に腹部につけその後上位の身頃条片３，５をもって腹部を締めつける。本発明においては背部分当片１の外面において左右両端に下方に僅少傾斜する腹部引締片９，１０を設け、その先端部にファスナー片１１，１２を各々設ける。この片１１，１２は身頃条片２，３、４，５及び背部分当片１と共に接着する。全てファスナーが接着する生地でつくってある。
【０００７】
かくして本発明の腹部補整ベルトを身体につけると図のように腹部を締め、最終に補助ベルトを下腹部に当て、締付ければ腹部は著しく締付けられる。この点本発明は極めて進歩的、かつ新規性のある腹部引締め作用をもたらすことができる。腹部引締片の先を下腹部に左右から押し当てることで腹部引締片全体でウエスト部を無理なく整えて従来着用不可能であったスラックスも自由に着用できることになる。
【０００８】
【発明の効果】
本発明によれば、腹部特に腹部の下側を強く締付けて人体の腹部の寸法を無理なく狭めることができる。
【図面の簡単な説明】
【図１】平面図。
【図２】図１のＡ−Ａ´断面図。
【図３】使用途上の正面図。
【図４】使用状態の正面図。
【図５】使用状態の側面図。
【符号の説明】
Ａ　　　ベルト本体
１　　　背部分当片
２，３，４，５　　身頃条片
９，１０　　　　　腹部引締片
【図１】
2004052168.tif 000003
【図２】
2004052168.tif 000004
【図３】
2004052168.tif 000005
【図４】
2004052168.tif 000006
【図５】
2004052168.tif 000007
(57)【要約】　　　（修正有）【課題】窓の補助錠としての防犯性能をより効果的に高めようとするものである。【解決手段】窓用補助錠を、ロックレバーに窓枠の縁が当ることにより窓が開かないように構成する。窓用補助錠のベース４の両側にピン８によりロックレバー５を枢支し、また、コ字型に成形したストッパー６をピン７によりベース４に取り付け、ストッパー６の先端がロックレバー５の先端部内側に入り込むようにしたことにより、離れた位置から棒などで簡単に、ロックレバー５を外せない構造の防犯性窓補助錠とした。【選択図】　図４
2004052524.tif 000002
【特許請求の範囲】
【請求項１】
窓ガラスに貼り付けて、ロックレバーを引き出して、窓の開きを妨げるようにした窓の補助錠において、このロックレバーを元に押し戻す動作を妨げるためのストッパーを取りつけた、窓補助錠。
【請求項２】
ストッパーの一端を補助錠のベースに取りつけ、他の端をロックレバーの内側に掛かるように構成した窓補助錠。
【請求項３】
補助錠のベースに一端を固定し、他の端がロックレバーの内面にほぼ直角に向き合うように構成した、バネ板製のストッパーを有する窓補助錠。
【請求項４】
補助錠のロックレバーに一端を固定し、他の端がベースの内面にほぼ直角に向き合うように構成した、バネ板製のストッパーを有する窓補助錠。
【発明の詳細な説明】
【０００１】
【発明の属する技術分野】
この発明は、内鍵付窓の防犯対策用の、窓補助錠に関するものである。
【０００２】
【従来の技術】
従来、この種の窓用補助錠は、指先でロックレバーを引き出すことによりロックレバーにサッシ窓の縁が当り、窓が開かないように構成したもので、ロックを外す場合も、ロックレバーを下から指で軽く持ち上げるだけでよく操作が極めて簡単である一方、窓の一部が破られた場合、この孔から棒を内側に入れて、この棒でロックレバーを下から押し上げることにより、ロックが簡単に外されてしまう欠点があった。
【０００３】
【発明が解決しようとする課題】
本発明は、ストッパーを合理的に用いることで、窓の補助錠としての防犯性能を、より効果的に高めようとするものである。
【０００４】
【課題を解決するための手段】
その解決手段を、図面に従って説明する。
（イ）「ベース４」の両側の「ピン７」に、コの字型に成型した「ストッパー６」を取りつけ、この「ストッパー６」の先端が「ロックレバー５」の先端部内側に入り込むように構成する。（図−３）（図−４）
（ロ）また、「ベース９」の面に「ストッパー１１」及び、その「取りつけ座１２」を取りつけ、かつ「ロックレバー１０」の内面にストッパーの先端が引っかかる「突起部１３」を形成し、一旦、ストッパーを外さないとロックレバーが持ち上がらないようにする。（図−５）（図−６）
（ハ）更には、「ベース１５」に一端を固定し、他の端を「ロックレバー１６」に直角に対向する「バネ板１７」を取りつけ、このバネ板を押し下げないとロックレバーが持ち上がらないようにする。（図−７）（図−８）
【０００５】
【発明の実施の形態】
本発明では、クレセント錠部分のガラスを破られて、この内鍵が外されて侵入される。これを防ぐために、窓の上部に補助錠を取り付けている。
従って、窓の補助錠は「不法侵入」を思い止まらせる重要な「塞」である。
ガラスの一部が割られても補助錠は開かないようにしなければならない。
【０００６】
なお、本発明の実施に当って、次の如きことができる。
（イ）「ストッパー」に使用する素材として金属以外に、プラスチックなどを使用することができる。
【０００７】
【発明の効果】
従って、この種窓用補助錠は、指先でロックレバーを引き出すことにより操作が極めて簡単である一方、窓の一部が破られただけで、孔から棒を内側に入れて、この棒でロックレバーを押し上げ、ロックが外されることの無いように、ストッパーを取り付ける。また、ストッパーは指で簡単、ワンタッチで外せる構成としたことにより、操作が簡単で防犯効果に優れた窓補助錠を提供するものである。
【図面の簡単な説明】
【図１】従来の窓用補助錠の、正面図。
【図２】同上の、側面図。
【図３】本発明の実施例の、正面図。
【図４】同上の、側面図。
【図５】本発明の他の実施例の、正面図。
【図６】同上の、側面図。
【図７】本発明の他の実施例の、正面図。
【図８】同上の、側面図。
【図１】
2004052524.tif 000003
【図２】
2004052524.tif 000004
【図３】
2004052524.tif 000005
【図４】
2004052524.tif 000006
【図５】
2004052524.tif 000007
【図６】
2004052524.tif 000008
【図７】
2004052524.tif 000009
【図８】
2004052524.tif 000010
(57)【要約】　　　（修正有）【課題】ダムＡの水の水圧により放出を加減するバルブＦの開閉に、かなりの力が必要になると、思われる【解決手段】バルブＦを複数設け一つ一つのバルブＦにかかる水圧を分散すると同時に、ダムＡの底の排出口Ｄに開閉式の蓋Ｅを設け、排出口Ｇを閉じる時の水圧を減少させる排出口の蓋Ｅは排出口Ｇを閉じている時に開けておき、放流終了時に水圧で閉めるこの作業により、バルブＦにかかる水圧を分散する【選択図】　　図１
2004052527.tif 000002
【特許請求の範囲】
【請求項１】
ダムの底に排砂口を設けることにより、今までダムの底に溜まる一方だった泥や砂、落ち葉などの堆積物を定期的且つ頻繁に放出できる
【発明の詳細な説明】
［発明の属する技術分野］
この発明は、ダムの建設設計に属される。
［従来の技術］
今までのダムでは、堆積物は溜まる一方だった
［発明が解決しようとする課題］
この発明は、今まで溜まる一方だった堆積物を定期的且つ頻繁に放出することにより、ダムの貯水量の減少をふせぐと共に、落ち葉などの堆積物が腐る前に海の魚などに供給できる
［課題を解決するための手段］
この発明により今まで上部のきれいな水しか流せなかった放流を、ダムの底に排砂口を設けることにより、堆積物もダム内に貯めた水の水圧により放出する
［発明の実施の形態］
図１〜図３に示すように、ダムの底に排砂口をつける
図４・５は、ダムの底の排砂口の入り口部分の蓋の開いた状態
図６・７は、ダムの底の排砂口の入り口部分の蓋の閉じた状態
図８・９は、排砂口の出口部分のバルブの開いた状態
図１０・１１は、排砂口の出口部分のバルブの閉じた状態
［発明の効果］
ダムの底に溜まる堆積物を、定期的に且つ頻繁に放出できる
【図面の簡単な説明】
【図１】図１は、ダムと排砂口の平面図。
【図２】図２は、ダムと排砂口の側面図。
【図３】図３は、ダムと排砂口の正面図。
【図４】図４は、排砂口の入り口部分の蓋の開いた状態の平面図・図５
は、側面図
【図５】図４は、排砂口の入り口部分の蓋の開いた状態の平面図・図５
は、側面図
【図６】図６は、排砂口の入り口部分の蓋の閉じた状態の平面図・図７
は、側面図
【図７】図６は、排砂口の入り口部分の蓋の閉じた状態の平面図・図７
は、側面図
【図８】図８は、排砂口の出口部分のバルブの開いた状態の平面図・図
９は、側面図
【図９】図８は、排砂口の出口部分のバルブの開いた状態の平面図・図
９は、側面図
【図１０】図１０は排砂口の出口部分のバルブの閉じた状態の平面図・
図１１は側面図
【図１１】図１０は排砂口の出口部分のバルブの閉じた状態の平面図・
図１１は側面図
【符号の説明】
Ａ・ダム
Ｂ・ダムの堰堤
Ｃ−１・排砂口（Ｃ−２、Ｃ−３も同じ）
Ｄ−１・排砂口入水口（Ｄ−２、Ｄ−３も同じ）
Ｅ−１・排砂口入水口の蓋（Ｅ−２、Ｅ−３も同じ）
Ｆ−１・排砂口のバルブ（Ｆ−２も同じ）
Ｇ−１・排砂口出水口（Ｇ−２、Ｇ−３も同じ）
【図１】
2004052527.tif 000003
【図２】
2004052527.tif 000004
【図３】
2004052527.tif 000005
【図４】
2004052527.tif 000006
【図５】
2004052527.tif 000007
【図６】
2004052527.tif 000008
【図７】
2004052527.tif 000009
【図８】
2004052527.tif 000010
【図９】
2004052527.tif 000011
【図１０】
2004052527.tif 000012
【図１１】
2004052527.tif 000013
(57)【要約】【課題】照明不充分な天井面暗部にある小フック孔にフック棒掛けして行っていた在来の面倒なシャッター閉鎖操作を解消する、支持柄先端に取り付けたマグネット片の座鈑磁着牽引により、シャツター閉鎖操作を老齢者、視弱者達が安易に且衛生的に行える、シャツター閉鎖操作用の用具を提供する。【解決手段】頚部に関節（４）を設けた支持柄（１）上端に磁力体設置用のステージ（２）を転回可能に取付け、該ステージ（２）にマグネット片（３）を設置してなる磁力牽引するシャッター閉鎖装置。【選択図】　　　　　図１
2004052520.tif 000002
【特許請求の範囲】
【請求項１】
支持柄（１）の上端に磁力体設置用のステージ（２）を取付け、該ステージ（２）にマグネット片（３）を設置してなる、磁力牽引するシャッター閉鎖装置。
【請求項２】
支持柄（１）の頚部に関節（４）を設け、該支持柄（１）を曲折する様にした請求項１記載の磁力牽引するシャッター閉鎖装置。
【請求項３】
ステージ（２）下部に設けた取付アーム（５）を、支持柄（１）上端に、転回可能に連結してなる請求項１記載の磁力牽引するシャッター閉鎖装置。
【発明の詳細な説明】
【０００１】
【発明の属する技術分野】
此発明はマグネット磁力を用いた、シャッター用閉鎖装置の用具である。
【０００２】
【従来の技術】
従来、手動シャッターの閉鎖操作は、該座鈑に設けたフック孔にフック棒端部を挿貫牽引して開口部上半部を閉鎖し、残る下半、開口部の閉鎖は手掛けで座鈑を押し下げ等して行っていた。
【０００３】
【発明の解決しようとする課題】
（これは次の欠点があった。）
シャッター閉鎖時間帯は夜間であり、照明の不十分な天井面暗部にある小さいフック孔は視確認困難で、該小孔にフック棒端部を挿貫操作する事は安易ではなく、零細商店を経営する視力の衰えた老店主達弱者は該操作に難渋していた。本発明は該難渋なシャッター閉鎖時のフック棒操作を解消し、該視力の衰えた老齢者達が、シャッター閉鎖を安易に行える様にしたものである。
【０００４】
【課題を解決する為の手段】
支持柄（１）の頚部に関節（４）を設け、同上端にステージ（２）を転回可能に取付け、該ステージ（２）にマグネット片（３）を埋設等して取付け、該マグネット片（３）の磁力で座鈑（６）を牽引して、シャッター閉鎖を行い、在来のフック掛け操作を解消すると共に、該フック掛操作に続く二次工程である、座鈑を手掛けで引下げて行う残存下半部閉鎖も、支持柄（１）を牽引降下点で該柄を関節（４）部よりＶ字状に上方へ曲折し、これを押下降する事により、行い、シャッター閉鎖する開口面の上半、下半部双方の閉鎖を支持柄（１）の一連操作で行う。
【０００５】
【発明の実施の形態】
頚部に関節（４）を設けた支持柄（１）の上端にステージ（２）を縦回転可能状に取付け、該ステージ（２）にマグネット片（３）を埋設してなるもので（５）は取付けアーム（６）はシャッターの座鈑（７）は関節の軸である。
【０００６】
【発明の実施例について説明する】
シャツター閉鎖時、支持柄（１）を手に、ステージ（２）内のマグネット片（３）を、頭上の座鈑（６）下面の、両端部を除く任意の個所に近接させ、該マグネット片（３）を磁力誘引させて座鈑（６）下面に自ら吸着させ、該支持柄（１）を下方へ牽引すれば座鈑（６）共シャツターは降下、半閉状態迄閉鎖する、次で、支持柄（１）を関節（４）部よりＶ字状に反転し、これを下方へ押突して、該残存開口部を閉鎖する、次で支持柄、（１）を関節（４）の設定角度以上にこねて、マグネット片（３）を座鈑（６）より離脱、同座鈑（６）を足先で踏付けて該床面との残小間隙を完閉する、同ステージ（２）を縦回転して支持柄（１）側にたたみ込み格納する、上述の如き手順工程で閉鎖操作を完逐する。
【０００７】
【発明の効果】
本発明は上記の構成であるから下記列記の効果をもつものである。
【０００８】
請求項１の支持柄（１）上端のステージ（２）にマグネット片（３）を取付け、該マグネット片（３）をシャッターの座鈑（６）の任意個所面に吸着させて是を牽引閉鎖して、従来の面倒なフック棒掛操作を不要とし、これを行っていた零細店の視弱老齢者達の難渋作業を解消する効果を持つ。
【０００９】
請求項２の支持柄（１）の頚部に関節（４）を設け、該支持柄（１）をＶ形に曲折出来る為、該支持柄（１）による磁着座鈑（６）牽引時、シャッター閉鎖面の上半部は牽引降、下半部は押突降して、座鈑（６）踏付可能点迄降下させ得るから、支持柄（１）の一連操作でシャツター全閉鎖を安易に、且不潔な座板等に手触れする事なく衛生的に行える。
【００１０】
請求項３のステージ（２）を縦回転可能にした事により、該マグネット片（３）の座鈑（６）への吸着時、該支持柄（１）を斜め側方等より差向けても自在して吸着なし易く、亦該ステージ（２）を回転して支持柄（１）側にたたみ込み、これの格納時に幅を取らず都合良い。
【図面の簡単な説明】
【図１】本発明の一部欠切正面図である
【図２】本発明の一部欠切側面図である
【符号の説明】
１　支持柄
２　ステージ
３　マグネット片
４　関節
５　取付アーム
６　座鈑
７　軸
【図１】
2004052520.tif 000003
【図２】
2004052520.tif 000004